(57)【要約】【課題】カバー部材を容易に取り外すことができ、床暖房用熱源機の小型化に伴って熱媒パイプの密度が増加しても修理等の作業性がよく、困難な作業や熱源機の取替えにかかる費用の削減を可能とする床暖房用熱源機を提供すること。【解決手段】床暖房用熱源機１は、直方体のフレーム２と、フレーム２内に配置されている各構成ユニット３Ａ〜Ｆと、この各構成ユニット３からフレーム外部へと引き出され、あるいはフレーム外部から各構成ユニット３へと導き入れられる熱媒パイプ４と、フレーム２の少なくとも上部及び前面に着脱可能なカバー部材５Ｄ、５Ａとを具備しており、熱媒パイプ４の密度は、フレーム２の直方体の高さ方向断面において１４０本／ｍ２以上である。【選択図】図２
2007225198.tif 000002
【特許請求の範囲】
【請求項１】
直方体のフレーム内に、各構成ユニットを配置するとともに、熱媒パイプが、前記各構成ユニットからフレーム外部へと引き出され、あるいはフレーム外部から前記各構成ユニットへと導き入れられる床暖房用熱源機であって、前記熱媒パイプの密度が、前記直方体の高さ方向の断面において１４０本／ｍ２以上であり、前記直方体のフレームの少なくとも上部及び前面には着脱可能なカバー部材が取り付けられていることを特徴とする床暖房用熱源機。
【請求項２】
前記フレームの前面、及び／又は側面に取り付けられるカバー部材は、その上部にフレームの上面に重なるように延設された固定部が設けられており、下部には固定用の板ばねがフレームの一の梁に抜き差し可能に設けられていることを特徴とする請求項１に記載の床暖房用熱源機。
【請求項３】
前記フレームの上面に取り付けられるカバー部材は、前記フレーム及び前記カバー部材のそれぞれに設けられた垂直方向の凸部と凹部との嵌め合いと、前記カバー部材の自重とにより、前記フレームの上面に固定されていることを特徴とする請求項１又は２に記載の床暖房用熱源機。
【請求項４】
前記フレームの上面に取り付けられるカバー部材は、前記フレーム上部が形成する水平方向の閉鎖面、又は、前記フレームの前面及び側面に取り付けられるカバー部材が形成する水平方向の半閉鎖面と、略同一形状のカバー板を有するとともに、このカバー板の端部から延設された固定手段を有し、該固定手段と、カバー部材自身の自重とにより前記フレームの上部に取り付けられるカバー部材が前記フレーム上面に固定されることを特徴とする請求項１〜３のいずれかに記載の床暖房用熱源機。
【請求項５】
前記フレームの背面及び下面を除く全面に着脱可能なカバー部材が取り付けられていることを特徴とする請求項１〜４のいずれか一項に記載の床暖房用熱源機。
【発明の詳細な説明】
【技術分野】
【０００１】
本発明は、室内用床暖房に好適に用いられ、着脱可能なカバー部材を具備した床暖房用熱源機に関する。
【背景技術】
【０００２】
熱源機は、一般に、例えばボイラのような熱源装置と、この熱源装置を制御するコントローラと、熱媒パイプ等の各構成ユニットとからなり、熱媒パイプは熱源装置に繋がっており、熱源装置から熱媒体を外部へ供給し、あるいは外部から熱媒体を熱源装置へ回収するように配管されている。これら熱源機は、床暖房用熱源機をはじめ、その他幅広い用途で用いられている。
【発明の開示】
【発明が解決しようとする課題】
【０００３】
従来、熱源機、特に床暖房用熱源機は、大きな熱源装置と多くの熱媒パイプを有するために、それ自体の大きさは比較的大きいものが主流であり、したがって、屋外に設置されることが多かった。
【０００４】
近年、床暖房用熱源機の設置を容易にするために、室内設置用熱源機が開発されるようになってきた。室内設置用熱源機は、屋外設置用熱源機と比べて、外観の向上という観点から、熱源機の各構成ユニットを隠すためのカバー部材を取り付ける必要があるため、熱源機全体を一体的に覆う筐体が設けられてきた。そして、この筐体には、施工、保守点検又は修理のため、小窓が設けられており、この小窓を通じて熱源機の各構成ユニットの修理等を行ってきた。
【０００５】
また、建物内部の限られたスペースを有効に活用するために、床暖房用熱源機を小型化する必要があった。しかし、床暖房用熱源機の小型化に伴い、床暖房用熱媒パイプの単位面積当たりの密度が高くなり、従来用いられてきた筐体に設けられた小窓からでは、高密度に配置された熱媒パイプ周辺に手を入れて作業を実施することは容易ではない。また、小窓を通して熱源機内部の様子を伺うときに死角が生じるため、施工、修理等をすることが困難であるという問題があった。このような作業性の悪さにより、施工、修理等に多大な時間と労力が費やされ、それに伴うコストが高くなるという問題もあった。
【０００６】
非特許文献１には、カバー部材としての筐体を設けた熱源機が開示されている。しかし、このような熱源機では、熱源機自体が大きいために筐体の取り外しは容易ではなく、小窓からの修理では修復が不可能な故障が発生した場合には、従来、熱源機内の各構成ユニットの取替えではなく、熱源機をまるごと取り替えていたため、その取替えに要するコストが高いという問題もあった。
【０００７】
この他にも、床暖房用熱源機を取り替えると、床暖房用熱源機の内部に設けられているヘッダの位置が変わる場合があった。このような場合、熱媒パイプの長さが不足すると、継ぎ手等を使用して、熱媒パイプをヘッダに接続する方法はある。しかし、通常は、継ぎ手からの熱媒漏れを懸念して、継ぎ手を使用することなく、床暖房用パネルを適切な長さの熱媒パイプを備えたものに取り替えることで、この問題を解決していた。したがって、床暖房用熱源機の取替えと共に、床暖房用パネルをも取り替える必要があった。その結果、床暖房用熱源機の取替えに要するコストが高くなり、また、床暖房用パネルをも含め施工に手間がかかるという問題があった。
【０００８】
本発明は、前記諸点に鑑みてなされたものであり、その目的とするところは、外観の向上を目的とした床暖房用熱源機のカバー部材を容易に取り外すことができ、床暖房用熱源機の小型化に伴って熱媒パイプの密度が増加しても修理等の作業性がよく、困難な作業や熱源機の取替えにかかる費用の削減を可能とする床暖房用熱源機を提供することにある。
【非特許文献１】「２００５  大阪ガス住宅設備機器総合カタログ」、大阪ガス株式会社、２００５年６月、ｐ．２５３
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、直方体のフレーム（２）内に、各構成ユニット（３Ａ〜Ｆ）を配置するとともに、熱媒パイプが、各構成ユニットからフレーム外部へと引き出され、あるいはフレーム外部から各構成ユニットへと導き入れられる床暖房用の熱源機であって、この熱媒パイプ（４）の密度が、直方体の高さ方向の断面において１４０本／ｍ２以上であり、直方体のフレームの少なくとも前面及び上部には着脱可能なカバー部材（５Ａ、５Ｄ）が取り付けられていることを特徴とする床暖房用熱源機（１）を提供することで前記課題を解決する。
【００１１】
ここで、本発明の「各構成ユニット」とは、床暖房用熱源機のフレーム内に収納されている構成部材である。具体的には、ボイラのような熱源装置と、この熱源装置を制御するコントローラと、熱源装置に繋がっており、一方が熱媒体供給を、他方が熱媒体回収をするように配されている２本の主管と、この主管に夫々接続されているヘッダ等を挙げることができる。さらに、これら以外の構成要素が含まれていてもよい。
【００１２】
本発明の「各構成ユニットからフレーム外部へと引き出され」る熱媒パイプとは、熱源装置で温められた熱媒を床暖房用マット内の熱媒パイプに接続するためにフレーム外部へ引き出す配管のことをいい、「フレーム外部から各構成ユニットへと導き入れられる熱媒パイプ」とは、床暖房用マット内で熱を放散した熱媒を熱源装置に戻すためにフレーム外部から各構成ユニットへ導き入れられる配管のことをいう。また、本発明の「高さ方向の断面」とは、直方体の下面に対して略垂直方向の断面のことをいう。さらに、本発明の「直方体」とは、略直方体であれば特に制限はなく、例えば、上面と下面の面積が異なるもの、１２個の辺近傍の角のうち、少なくとも一つの角が湾曲状になっているもの、１２個の辺全てが各辺の端部において突き合っていないもの（例えば、後記図２参照）であってもよい。
【００１３】
請求項２の発明は、請求項１に記載の床暖房用熱源機（１）において、フレーム（２）の前面、及び／又は側面に取り付けられるカバー部材（５Ａ、５Ｂ、５Ｃ）は、その上部（１２Ａ〜Ｃ）にフレームの上面に重なるように延在された固定部（６Ａ〜Ｃ）が設けられていることを特徴とする。また、カバー部材（５Ａ、５Ｂ、５Ｃ）の下部（９）には、固定用の板ばね（７Ａ〜Ｃ）がフレームの一の梁（１４）に抜き差し可能に設けられていることも特徴とする。
【００１４】
本発明の「固定部」とは、例えば、カバー部材の上部に設けられている鍔状の板であり、カバー部材とフレームとをビス等の固定手段を用いて固定する際に、フレームの上面に引っ掛けつつ重ね合わせることができる面を有する。固定部は、それが設けられているカバー部材の上端に設けられていてもよく、カバー部材の上端よりも低い位置に設けられていてもよい。
【００１５】
また、本発明の「板ばね」は、カバー部材の下部に固定されている。一方、板ばねが固定されるフレームの一の梁には、板ばねとほぼ同じ幅の切り欠きが設けられていることが好ましい。切り欠きを設けることで、板ばねを梁へ抜き差しすることが容易になり、且つ、板ばねに適度な応力を持たせつつ、カバー部材が床からの振動によってがたつくことがないように固定することができる。
【００１６】
請求項３の発明は、請求項１又は２に記載の床暖房用熱源機（１）において、フレーム（２）の上面に取り付けられるカバー部材（５Ｄ）は、フレーム及びカバー部材のそれぞれに設けられた垂直方向の凸部と凹部との嵌め合いと、カバー部材の自重とにより、フレームの上面（１１）に固定されていることを特徴とする。
【００１７】
本発明の「フレーム及びカバー部材のそれぞれに設けられた垂直方向の高さ、あるいは深さのある凸部と凹部」とは、カバー部材がフレーム上面に固定されるように、例えば、フレーム上面の所定位置に一定の垂直方向の高さがある凸部を設け、一方、この凸部に対応するカバー部材の下面の位置に、斯かる凸部を嵌めることができる程度の大きさの垂直方向の深さがある凹部を設けることにより、互いに嵌め合うことができることを意味する。この凸部及び凹部は、必ずしも凸部がフレームの上面に、凹部がカバー部材側に設けられている必要はなく、その逆、すなわちカバー部材の下面に下向きの凸部を形成するとともに、フレーム側にこの下向きの凸部に嵌合可能な凹部を形成するようにしてもよい。また、固定手段として用いるネジ等を、カバー部材の四隅近傍に取り付けることにより、斯かる固定手段をフレームの上面に設ける凸部の代わり（例えば固定手段として用いたネジ等の頭部）として利用することもできる。
【００１８】
請求項４の発明は、請求項１〜３のいずれか一項に記載の床暖房用熱源機（１）において、フレーム（２）の上面に取り付けられるカバー部材（５Ｄ）は、フレーム上部が形成する水平方向の閉鎖面、又は、フレーム（２）の前面及び側面に取り付けられるカバー部材（５Ａ〜Ｃ）が形成する半閉鎖面（２４）と、略同一形状のカバー板（１８）を有するとともに、このカバー板の端部から延設された固定手段（２１）を有し、斯かる固定手段と、フレーム上部に取り付けるカバー部材自身の自重とによりフレームの上部に取り付けられるカバー部材がフレーム上面に固定されることを特徴とする。
【００１９】
「フレーム上部、又は、フレームの前面及び側面に取り付けられるカバー部材が形成する水平方向の閉鎖面、あるいは半閉鎖面」とは、固定部がカバー部材の上端よりも低い位置に設けられている場合に、カバー部材がフレームに取り付けられることによって形成される水平方向の半閉鎖面のことを、固定部がカバー部材の上端に設けられている場合にはフレーム上部により形成される閉鎖面を意味する。
【００２０】
また、「カバー部材の端部から延設された固定手段」とは、カバー部材をフレーム上面に取り付ける際に、フレーム上面に嵌め込んで固定できるようにカバー部材に設けられたフランジ状の部分を意味する。このフランジ状の部分には、貫通孔を設けて、固定部（６）とフレームの上面（１１）とを固定した固定手段（１３）と嵌め合わせてもよい。
【００２１】
請求項５の発明は、請求項１〜４のいずれか一項に記載の床暖房用熱源機（１）において、フレームの背面（２６）及び下面（２７）を除く全面に着脱可能なカバー部材（５Ａ〜Ｄ）が取り付けられていることを特徴とする。
【００２２】
本発明の床暖房用熱源機は、室内の壁側に接するように床面上に設置することを想定してなされているため、壁と接するフレームの背面及び床面と接するフレームの下面にはカバー部材を取り付ける必要がないが、それらを除く４面には、外観上、カバー部材を取り付けられていることが好ましく、またこれらカバー部材は着脱可能であることが好ましい。
【発明の効果】
【００２３】
請求項１に記載の発明によれば、床暖房用熱源機の外観を向上させることができる。また、室内設置を目的として床暖房用熱源機を小型化することで、熱源機内部の熱媒パイプの密度が直方体のフレームの高さ方向の断面において１４０本／ｍ２以上となっても、各面ごとにカバー部材を容易に着脱することができるため、各フレームが形成する開口部を利用して容易に熱源機内を観察し、かつ熱源機内の作業を実施することが可能になる。かくして、従来のカバー部材としての筐体で問題となっていた小窓から熱源機内部を伺うときに生じる死角がなくすことができる。さらに、フレームの外側のどこからでも必要な部位に手が届くという点で、熱源機内部の施工、修理等における作業効率を格段に向上させることができる。
【００２４】
また、作業効率の向上に伴い、作業にかかる時間やコストを大幅に削減することができる。
【００２５】
請求項２に記載の発明によれば、フレームの前面、側面に取り付けるカバー部材を、特別な工具を必要としないでフレームに簡単に固定することができるため、結果的に、カバー部材の着脱を容易にすることができる。また、板ばねがカバー部材の下部裏側にフレームの一の梁に抜き差し可能に設けられているために、この弾性力によりカバー部材の下部がフレームにしっかりと固定され、下面等からの振動によるカバー部材のがたつきを防止することができる。
【００２６】
請求項３、又は４に記載の発明によれば、フレームと側面に固定したカバー部材からなる床暖房用熱源機に、蓋をするように、上部のカバー部材を取り付けるため、固定方法が容易である。また、側面のカバー部材を外さなくても上部のカバー部材だけを外すことができるため、熱源機に用いる熱媒の入れ替え等の作業を効率よく行うことができる。
【００２７】
請求項５に記載の発明によれば、床暖房用熱源機の背面及び下面を除く全面に着脱可能なカバーが取り付けられているため、熱源機内の各構成ユニットの取替えが容易にでき、故障のたびに高価な装置を買い換えなくても済む。したがって、従来、筐体に設けられた小窓からの修理では修復が不可能な故障が発生した場合には、床暖房用熱源機をまるごと取り替えていたが、本発明ではその必要がなくなり、より経済的なメンテナンス作業が可能となる。また、床暖房用熱源機の取替えに伴う床暖房用パネルの取替えも不要になる。
【００２８】
本発明のこのような作用及び利得は、次に説明する発明を実施するための最良の形態から明らかにされる。
【発明を実施するための最良の形態】
【００２９】
以下本発明を図面に示す実施形態に基づき説明するが、以下に説明するものは、本発明の実施形態の一例であって、本発明はその要旨を超えない限り、以下の説明に何ら限定されるものではない。
【００３０】
図１は、本発明に係る床暖房用熱源機の一例を示す斜視図である。なお、床暖房用熱源機の取り付け面である背面２６及び下面２７は図１には参照符号のみ示され、具体的に明示されていないが、背面２６は床暖房用熱源機の奥側に、下面２７は床暖房用熱源機の下側に配置されているものとして以下に説明する。図示の床暖房用熱源機１は、直方体のフレーム２と、フレーム２内に配置されている各構成ユニット３Ａ〜３Ｆと、この各構成ユニット３Ａ〜３Ｆからフレーム外部へと引き出され、あるいはフレーム外部から各構成ユニット３Ａ〜３Ｆへと導き入れられる熱媒パイプ４と、フレーム２の少なくとも上部及び前面に着脱可能なカバー部材５Ａ、５Ｄ（図２参照）とを具備している。具体的な各構成ユニットとしては、コントローラ３Ａ、ポンプ３Ｂ、ボイラ３Ｃ、分配ヘッダ３Ｄ、熱媒貯留タンク３Ｅ、熱媒送出管３Ｆ、等を例示することができるが、本発明はこれらに限定されるものではない。本発明の床暖房用熱源機１においては、装置の小型化、コンパクト化が図られており、熱媒パイプ４の密度は、フレーム２の直方体の高さ方向の断面において１４０本／ｍ２以上である。
【００３１】
図示の例では、各構成ユニットは、ボイラのような熱源装置３Ｃと、この熱源装置３Ｃを制御するコントローラ３Ａとが繋がっており、一方が熱媒体供給を、他方が熱媒体回収をするように配されている２本の主管３Ｆと、この主管に夫々接続されているヘッダ３Ｄ等を具備している。これら以外にも、例えば、図示のように、ヘッダと床暖房用マットとを接続する熱媒パイプが、フレーム内におさまり、且つ、下面２７で水平方向に引き回されるように、下面２７へ押さえつける配管浮き上がり防止具２８等を具備していてもよい。
【００３２】
熱媒パイプの材質は、耐熱性、耐塩素性、耐久性、施工性及び耐曲げ応力性等が求められるため、ポリエチレン管、特に架橋ポリエチレンを用いることが好ましいが、ポリブテン管等を用いてもよい。
【００３３】
熱媒パイプの密度をフレーム２の直方体の高さ方向の断面において１４０本／ｍ２以上としているのは、床暖房用熱源機の小型化によるものである。フレーム２の直方体の高さ方向の断面における熱媒パイプの密度をこのように設定すれば本発明による作業容易化等の効果を得ることができる。フレーム２の直方体の高さ方向の断面における熱媒パイプの密度は、好ましくは２００本／ｍ２以上、より好ましくは２５０本／ｍ２以上である。
【００３４】
ここで、フレームの直方体の高さ方向の断面における熱媒パイプの密度の求め方について、図１を一例に説明する。直方体の下面に対して、略垂直方向のフレームの内面を基準とした、フレームの直方体の高さ方向の断面積を計算する。次に、フレームの直方体の高さ方向の断面を横切って、略垂直方向に設けられた熱媒パイプの本数を前記断面積で除することにより求める。ここでは、図１を一例として説明したが、本発明の要旨を超えないフレームの形態の場合においても、同様の求め方で求められる。
【００３５】
図２は、本発明に係る床暖房用熱源機の分解斜視図である。図示の床暖房用熱源機１は、略直方体形状のフレーム２の背面２６は建物の壁に接しており、下面２７は床面に接して配置されている。フレーム２の、これら背面２６、及び下面２７を除く他の４面には、カバー部材５Ａ、５Ｂ、５Ｃ、５Ｄが取り付けられている。図示されるように、前面カバー部材５Ａ、右側面カバー部材５Ｂ、左側面カバー部材５Ｃ、及び上面カバー部材５Ｄが備えられている。後に説明するが、これらカバー部材５Ａ〜Ｄは、フレーム２への着脱が容易に構成されている。従って、フレーム内部における熱源機の各構成部品のメンテナンス作業を容易に行うことができる。
【００３６】
カバー部材５Ａ〜Ｄは板状の化粧板であるが、外面は曲面でも平面でもよい。カバー部材５Ａ〜Ｄの材質は、加工性の観点から、鋼板又は合成樹脂板のいずれであってもよい。床暖房用熱源機１は、使用によって内部に熱が溜まりやすいため、この熱を除去するために、カバー部材５Ａ〜Ｄには、外観を損なわない程度に通気孔が設けられていることが好ましい。
【００３７】
図３は、本発明に係る床暖房用熱源機の、前面及び側面のカバー部材５Ａ、５Ｂ、５Ｃのフレームへの取り付け方法を説明する断面図である。図３（ａ）はその一実施形態（以下において「第一実施形態」という。）を示し、図３（ｂ）は他の実施形態（以下において「第二実施形態」という。）を示す。図示の床暖房用熱源機１では、フレーム２の前面、及び両側面に取り付けられるカバー部材５Ａ、５Ｂ、５Ｃには、その上部にフレーム２の上面１１に重なるように延設されて、ねじ等の固定手段１３による嵌め合いが可能な固定部６Ａ〜Ｃが設けられている。固定部６Ａ〜Ｃは、それが設けられているカバー部材５Ａ〜Ｃの上端８Ａ〜Ｃから直交方向に延設してもよく（第一実施形態）、この上端８Ａ〜Ｃよりも低く位置していてもよい（第二実施形態）。なお、図２に示した構造は、図３（ｂ）の第二実施形態に対応するものである。
【００３８】
固定部６Ａ〜Ｃがカバー部材５Ａ〜Ｃの上端面８Ａ〜Ｃよりも低く位置している（第二実施形態）とは、図２及び図３（ｂ）で示すように、カバー部材５Ａ〜Ｃの上部裏面の、上端面８Ａ〜Ｃよりも一段低位置に、固定部６Ａ〜Ｃをカバー部材５Ａ〜Ｃと一体的に設けることを意味する。具体的には、上端面８Ａ〜Ｃからフレーム方向にまっすぐに延ばした板材を一旦床方向に曲げ、さらにフレーム方向にＬ字状に折り曲げて加工してもよく、また、板状カバー部材の裏に別の板材を溶接等により接合させてもよい。
【００３９】
図３（ｂ）において、固定部６、６Ｃには、カバー部材５Ｂ、５Ｃをフレーム２に固定手段１３、１３によって固定するための貫通孔１５、１５が所定位置に設けられている。一方、固定部６、６Ｃと同様に、フレーム２の上面１１にも、固定手段１３、１３によってカバー部材５を固定するための貫通孔１６、１６が、固定部６、６Ｃの貫通孔１５、１５に対応する位置に設けられている。
【００４０】
固定手段１３は、カバー部材５Ａ〜Ｃの固定部６Ａ〜Ｃをフレーム２の上面１１に、夫々に設けられた貫通孔１５、１５：１６、１６を通して固定できるものであればよく、ボルトやねじ等であってもよい。これら固定手段１３は、必ずしも締め付けて固定する必要はなく、施工性の面から、貫通孔の径とほぼ同一の径をもつボルト等を孔の上から挿入するだけで、がたつきもなく、簡単にカバー部材５Ａ〜Ｃとフレーム２とを固定することができる。
【００４１】
再び図２及び図３を参照しつつ説明を続ける。本発明の一例である床暖房用熱源機１では、フレーム２の前面及び両側面に取り付けられるカバー部材５Ａ〜Ｃの下部裏側９Ａ〜Ｃ（前面カバー部材５Ａの裏面９Ａ、及び左側面カバー部材５Ｃの裏面９Ｃは死角にあるため図示されていない。）には、フレーム２の一の梁１４に設けられたスリット１０に抜き差し可能に設けられている固定用の板ばね７Ａ〜Ｃが設けられている。
【００４２】
板ばね７Ａ〜Ｃは、カバー部材５Ａ〜Ｃの下部裏側９Ａ〜Ｃに、カバー部材５Ａ〜Ｃの下部１７Ａ〜Ｃから下面方向に伸びるように設けられている。板ばね７Ａ〜Ｃの材質は、床暖房用熱源機に求められる耐用年数や保守点検等における着脱による劣化の観点から、金属製、望ましくはばね鋼であることが好ましい。板ばね７Ａ〜Ｃの形状は、その横幅が、カバー部材５Ａ〜Ｃを取り付けるフレーム２の幅に納まる程度のものであれば特に限定されないが、長方形又は短辺が下辺となる台形等が、フレームの一の梁１４に設けられたスリット１０への抜き差しが容易で好ましい。
【００４３】
図４は、本発明に係る床暖房用熱源機のカバー部材の正面から見た取り付け説明図である。床暖房用熱源機１内部を完全に多い隠すために、フレーム２のカバー部材５取り付け面よりも下の領域にも、カバー部材２０を設けることが好ましい。カバー部材２０は、フレームに一体的に固着されていてもよいが、熱媒パイプの交換等を考慮して、着脱可能であるほうが好ましい。斯かるカバー部材２０は、カバー部材５の下部から下面２７までの小さい領域を占めるため、取り付け方法は簡易であってよい。例えば、フレーム２上の梁１４よりも下の部分に、ねじ等の固定手段２１、２１を、そのねじ頭が突出するように固定して、一方、カバー部材２０の裏面２２には、フレーム２の固定手段２１を引っ掛けて固定するための孔２３、２３を設けて、これらを嵌め合わせて固定するように構成してもよい。
【００４４】
次に、前面又は両側面のカバー部材５Ａ〜Ｃのフレーム２への取り付け方について、図３（ｂ）を参照しつつ説明する。まず、カバー部材５Ｂ、５Ｃの板ばね７Ｂ、７Ｃを梁１４Ｂ、１４Ｃに設けられたスリット１０に挿入し、カバー部材５Ｂ、５Ｃ下部を固定する。次に、カバー部材５Ｂ，５Ｃ自体をフレーム２に取り付けるためにフレーム２に当接する。このとき、固定部６、６Ｃはフレーム２側に押し込まれて、フレーム２の上面１１に接して重なり合う。ここで、固定部６、６Ｃに設けられた貫通孔１５、１５とフレーム２の上面１１に設けられた貫通孔１６、１６も重なり合い、これらの貫通孔にねじ等の固定手段１３を挿入してフレーム２の上面１１と固定部６、６Ｃとを固定する。結果として、フレーム２に前面又は側面のカバー部材５を固定できる。
【００４５】
次に図３を参照しつつ、フレーム２の上部に取り付けられるカバー部材５Ｄ、５Ｄ’の取り付けについて説明する。図３に示すように、フレーム２の上部に取り付けられるカバー部材５Ｄ、５Ｄ’は、フレーム２及び側面のカバー部材５Ｂ、５Ｃ（５Ｂ’、５Ｃ’）のそれぞれに設けられた垂直方向の高さ、あるいは深さのある凸部と凹部との嵌め合いと、カバー部材５Ｄ、５Ｄ’の自重とにより、フレーム２の上面１１に固定されている。
【００４６】
図３（ａ）は、固定部６Ｂ’が側面のカバー部材５Ｂ’の上端８Ｂ’に設けられている場合のカバー部材５Ｂ’取り付け方法を説明した図２のＡ−Ａ’断面図である。図３（ａ）に示す例によれば、カバー部材５Ｂ’をフレーム２の側面に取り付けた場合、フレーム２の上面１１には、カバー部材１８を固定するための引っかかりがない。したがって、斯かるフレームの上面１１の上にカバー部材５Ｄ’を単に乗せただけの場合、カバー部材５Ｄ’は固定されたことにはならず、振動による位置ずれや地震等により、落下の虞もある。しかし、フレーム上部のカバー部材５Ｄ’は、側面のカバー部材５Ａ〜Ｃとは異なり、床暖房用熱源機１の熱媒の補充や交換等の作業のため、開閉の頻度がより高いことから、着脱が容易であることが求められる。
【００４７】
そこで、カバー部材５Ｄ’がフレーム２の上面１１の所定位置に固定されるように、例えば、フレーム２の上面１１に一定の垂直方向の高さがある凸部を設け、一方、この凸部に対応するカバー部材下面の位置に、斯かる凸部を嵌めることができる程度の大きさの垂直方向の深さがある凹部を設ければ、互いに嵌め合うことができる。凹部は窪みでも貫通孔であってもよい。また、この凸部及び凹部は、必ずしも凸部がフレーム２の上面１１に、凹部がカバー部材５Ｄ’の下面に設けられている必要はなく、その逆であってもよい。凸部及び凹部の設置位置は、フレーム２の上面１１及びカバー部材５Ｄ’の下面のいずれかの位置に設ければよいが、カバー部材５Ｄ’の四隅近傍に設置する方が、位置決めがしやすく好ましい。また、固定手段１３として用いるねじ等であって比較的大きい物を、カバー部材５Ｄ’の四隅近傍に配置することにより、斯かる固定手段１３をフレーム２の上面１１に設ける凸部の代わりとして利用することもできる。
【００４８】
図３（ｂ）は、固定部６が側面のカバー部材５Ｂ、５Ｃの上端面８Ｂ、８Ｃより低い位置で横方向に延設されている場合のカバー部材５Ｂ、５Ｃ及び５Ｄの取り付け方法を説明する図２のＡ−Ａ’断面図である。図３（ｂ）に示すように、カバー部材５Ｂ、５Ｃの上端８Ｂ、８Ｃが固定部６よりも垂直方向に高く位置するような場合は、固定部６から上のカバー部材５の部分を外枠２５として、この外枠２５と背面２６とに囲まれてできる閉鎖面に、カバー部材５Ｄを嵌め込んで、カバー部材５Ｄの自重により固定することもできる。なお、図示の通りカバー部材５Ｄは、平板状のカバー板１８の周囲に断面形状略「Ｌ」字上のフランジ部を備えている。このフランジ部の下面と固定部の上面とが接することになる。
【００４９】
カバー部材５Ｄの確実な固定を目的として、上述のフランジ部に貫通孔を設けて、カバー部材５Ｄとフレーム２とを、この貫通孔を介して、ねじ等の固定手段により固定してもよい。
【００５０】
カバー部材５Ｄ、５Ｄ’は、本発明の上述による構成から、側面のカバー部材５Ａ〜Ｃを取り付けた後、最後に、床暖房用熱源機１の上から蓋をするように取り付けることが好ましい。
【００５１】
以上説明した通り、カバー部材５Ｄ、５Ｄ’は、平面視に置いて、フレーム２の内部に収める事ができるので、本発明の床暖房用熱源機をよりコンパクトに構成することができる。また意匠性も向上するという利点がある。
【００５２】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う床暖房用熱源機もまた本発明の技術的範囲に包含されるものとして理解されなければならない。
【図面の簡単な説明】
【００５３】
【図１】本発明に係る床暖房用熱源機の一例を示す斜視図である。
【図２】本発明に係る床暖房用熱源機の分解斜視図である。
【図３】本発明に係る床暖房用熱源機の、前面及び側面のカバー部材５Ａ、５Ｂ、５Ｃのフレームへの取り付け方法を説明する断面図である。
【図４】本発明に係る床暖房用熱源機のカバー部材の正面から見た取り付け説明図である。
【符号の説明】
【００５４】
１            床暖房用熱源機
２            フレーム
３Ａ〜Ｆ          各構成ユニット
４            熱媒パイプ
５Ａ〜Ｄ          カバー部材
６            固定部
８            上端面
９            下部裏側
１０            スリット
１１            上面
１２            上部
１３            固定手段
１４            梁
１５、１６        貫通孔
１７            下部
１８            カバー板
２０            カバー部材
２１            固定手段
２２            裏面
２６            背面
２７            下面
２８            配管浮き上り防止具
【図１】
2007225198.tif 000003
【図２】
2007225198.tif 000004
【図３】
2007225198.tif 000005
【図４】
2007225198.tif 000006